(57)【要約】【課題】ヘッドレストを取り付けるための新たな取付部分を椅子に設けることなく、また、ヘッドレストを取り付けていないときにもその取付部分が椅子と一体化して見た目の印象の向上させることができる椅子を提供する。【解決手段】背板６１の上縁部にヘッドレスト８を装着し得るように構成した椅子１００であって、前記ヘッドレスト８が、着座者の後頭部を支持するためのヘッドレスト本体８２と、このヘッドレスト本体８２を前記背板６１に装着するためのベース部８１とを備えたものであり、前記ベース部８１が、前記背板６１の上縁部に跨がる形態をなし、前記背板６１の背面に形成されている段部６１ａ３に係合して抜け止めされることを特徴とする。【選択図】図１
2010063823.tif 000002
【特許請求の範囲】
【請求項１】
背板の上縁部にヘッドレストを装着し得るように構成した椅子であって、前記ヘッドレストが、着座者の後頭部を支持するためのヘッドレスト本体と、このヘッドレスト本体を前記背板に装着するためのベース部とを備えたものであり、前記ベース部が、前記背板の上縁部に跨がる形態をなし、前記背板の背面に形成されている段部に係わり合って抜け止めされることを特徴とする椅子。
【請求項２】
前記ベース部が、前記背板の上縁に当接するベース本体と、このベース本体から下方に延びて設けられ前記背板の前面に当接する前脚部と、前記ベース本体から下方に延びて設けられ前記背板の背面に当接する後脚部とを備えたものである請求項１記載の椅子。
【請求項３】
前記背板が、背面に段部を有するものであり、前記ベース部の後脚部に、前記背板の段部に部材の一時的な弾性変形を利用して係わり合う係わり合い部を設けている請求項２記載の椅子。
【請求項４】
前記背板が、周縁枠部とその周縁枠部に囲まれる中間面部との境界に段部を有するものであり、その段部を利用して前記ヘッドレストの抜け止めを行なっている請求項１、２、又は３記載の椅子。
【請求項５】
前記背板が、中間面部に、薄肉な領域と厚肉な領域とを備えたものであり、前記背板の背面において、前記中間面部の薄肉な領域と前記周縁枠部との境界に前記ヘッドレストを抜け止めするための段部が形成されている請求項４記載の椅子。
【請求項６】
前記背板の薄肉な領域が、複数の孔を有する樹脂メッシュ領域である請求項５記載の椅子。
【請求項７】
前記ヘッドレストを装着した背板の前面に前当部材を添接させ、その前当部材と前記ヘッドレストの後脚部とを前記孔に貫通させた止着具により緊締結合している請求項６記載の椅子。
【請求項８】
前記前当部材が、前記背板の前面に配される外装材の上縁部を掛けるための掛け止め縁部を備えている請求項７記載の椅子。
【発明の詳細な説明】
【技術分野】
【０００１】
本発明は、ヘッドレストを取付可能な椅子に関するものである。
【背景技術】
【０００２】
従来、ヘッドレストを取付可能な椅子においては、ヘッドレストを取り付けるための取付部品を予め椅子の背凭れ背面等に、当該背凭れから突出して装着して設ける方法が行われている（特許文献１）。また、別の方法として、ヘッドレストの下方に設けた取付部分を突部とし、当該突部に対応する凹部を椅子の背凭れ上端部等に開口して設ける方法が行われている（特許文献２）。
【特許文献１】特開平８‐１５００４４号公報
【特許文献１】特開２００３‐１０２５８５号公報
【発明の開示】
【発明が解決しようとする課題】
【０００３】
しかし、特許文献１のようなものでは、ヘッドレストを使用していない時にも当該取付部品が背凭れから突出して装着されているため、その取付部品が邪魔になったり、取付部分の見た目の印象が悪くなってしまう。また、特許文献２のようなものでは、ヘッドレストを使用していない時にも当該凹部が開口しているため、当該凹部にほこり等が溜まりやすくなったり、取付部分の見た目の印象が悪くなってしまう。
【０００４】
そこで本発明は上記のような課題に着目したものであり、ヘッドレストを取り付けるための新たな取付部分を椅子に設けることなく、また、ヘッドレストを取り付けていないときにもその取付部分が椅子と一体化して見た目の印象を向上させることができる椅子を提供することを目的としている。
【課題を解決するための手段】
【０００５】
以上のような課題を解決するためになされた本発明に係る椅子は、背板の上縁部にヘッドレストを装着し得るように構成した椅子であって、前記ヘッドレストが、着座者の後頭部を支持するためのヘッドレスト本体と、このヘッドレスト本体を前記背板に装着するためのベース部とを備えたものであり、前記ベース部が、前記背板の上縁部に跨がる形態をなし、前記背板の背面に形成されている段部に係わり合って抜け止めされることを特徴とする。
【０００６】
このようなものであれば、背板の上縁部に跨っているので、背板の上縁部にヘッドレストを容易に取り付けることができ、またヘッドレストが使用者から受ける力に対して抵抗しやすくなる。さらに、背板の有する段部を有効に利用することができ、ヘッドレストを取り付けるために椅子に積極的に取付部分を設ける必要がない。
【０００７】
上述したヘッドレストの構成の一例として、ベース部が、前記背板の上縁に当接するベース本体と、このベース本体から下方に延びて設けられ前記背板の前面に当接する前脚部と、前記ベース本体から下方に延びて設けられ前記背板の背面に当接する後脚部とを備えたものが好ましい。このようなものであれば、前脚部と後脚部とで作られる空間と背板の上縁部を組み合わせて椅子にヘッドレストを取り付けることができる。さらに、ヘッドレストの前脚部または後脚部が複数本に分断されていれば、ヘッドレストを取り付けた状態で背板が後傾された場合に背板の上部の弾性変形が阻害されるのを抑制でき、前脚部及び後脚部の両方がそれぞれ複数本に分断されていれば、上記弾性変形の阻害抑制によりいっそう有効に作用する。
【０００８】
上述したヘッドレストを取り付けるのに適した背板の構造としては、前記背板が、背面に段部を有するものであり、前記ベース部の後脚部に、前記背板の段部に部材の一時的な弾性変形を利用して係わり合う係わり合い部を設けているものが挙げられる。このようなものであれば、一時的な弾性変形を利用してヘッドレストを椅子に取り付けるので、ヘッドレストを取り付けた際のがたつきを抑制できるとともに、ヘッドレストの取り付け及び取り外しに必要な操作力が大きくなりすぎないようにすることができる。
【０００９】
上述したヘッドレストを取り付けるのに適した背板の他の構造としては、前記背板が、周縁枠部とその周縁枠部に囲まれる中間面部との境界に段部を有するものであり、その段部を利用して前記ヘッドレストの抜け止めを行なうものが好ましい。このようなものであれば、背板の上端部の周縁枠部と中間面部との境界を利用して、ヘッドレストを背板上方から取り付けることができる。すなわち、周縁枠部と中間面部とのギャップによって係わり合いが容易且つ強固なものとなる。
【００１０】
さらに、前記背板が、中間面部に、薄肉な領域と厚肉な領域とを備えたものであり、前記背板の背面において、前記中間面部の薄肉な領域と前記周縁枠部との境界に前記ヘッドレストを抜け止めするための段部が形成されているものであれば、背板の上端部の周縁枠部と中間面部の薄肉な領域との境界を利用して、ヘッドレストを背板上方から取り付けることができる。すなわち、周縁枠部と薄肉な領域とのギャップによって係わり合いが容易且つ強固なものとなる。
【００１１】
また、ヘッドレストを使用するのに適した椅子の背板構造として、前記背板の薄肉な領域が、複数の孔を有する樹脂メッシュ領域であるものを用いて、前記ヘッドレストを装着した背板の前面に前当部材を添接させ、その前当部材と前記ヘッドレストの後脚部とを前記孔に貫通させた止着具により緊締結合しているものであれば、背板にヘッドレスト取付用の凹部又は取付部を新たに設けることなく、もとからある孔を取付孔として有効活用することができる。よって、椅子用背板の加工工数及び部品点数の縮小を図ることができ、さらにヘッドレストを取り外したときにおいてもヘッドレスト取付部が気になることなく、見た目の印象が変わらないようにすることができる。また、ヘッドレスト及び前当部材の固定が一度の止着具の止め着け作業によって行うことができる上に、それらの緊締結合によって背板を中心として前面側からと背面側から挟持することとなるので、ヘッドレスト及び前当部材の固定をより強固なものとすることができる。
【００１２】
上記前当部材の構造としては、前記背板の前面に配される外装材の上縁部を掛けるための掛止縁部を備えているものが好適である。
【発明の効果】
【００１３】
本発明によれば、ヘッドレストを取り付けるための新たな取付部分を椅子に設けることなく、また、ヘッドレストを取り付けていないときにもその取付部分が椅子と一体化して見た目の印象を向上させることができる。
【発明を実施するための最良の形態】
【００１４】
以下、本発明をシンクロチルト式の事務用回転椅子１００に適用した場合の一実施形態につき、図面を参照して説明する。
【００１５】
この椅子１００は、図１ないし図４に示すように、脚１と、この脚１の上部に支持され水平旋回可能な支持基部２と、この支持基部２の上に配された座受３と、この座受３に保持された座４と、前記座受３下方から左右上方に延びて設けられた肘掛け１０と、前記支持基部２に後傾動作可能に設けられた背支持体５と、この背支持体５に取り付けられた背凭れ６と、この背凭れ６の上端部に着脱可能に設けられるヘッドレスト８とを具備してなる。
【００１６】
前記脚１は、脚ベース１１と、脚ベース１１の中心部に設けられた脚支柱１２とを備えてなる。前記脚ベース１１は、中心部に設けたハブ１１ａから脚羽根１１ｂを放射状に突出させて設けたもので、前記脚羽根１１ｂ先端にキャスター１１ｃをそれぞれ設けている。前記脚支柱１２は、ガススプリングを主体に構成されたもので、上下方向に弾性的に伸縮し、所望位置でロックすることができるようにした通常のものである。
【００１７】
前記支持基部２は、前記脚支柱１２の上端部に取り付けられたハウジング２１と、このハウジング２１に剛結され前記背支持体５を後傾動作可能に支持する主軸２２と、前記ハウジング２１内に設けられ前記背支持体５の後傾動作に対して反発力を発生させる傾動反力発生機構（図示せず）とを具備してなる。前記傾動反力発生機構は、コイルスプリングやガススプリング等を用いた通常のものであるため、説明を省略する。
【００１８】
前記座受３は、前記座４を保持するシェル状のもので、その前端側が前記支持基部２に前後動可能に取り付けられているとともに、その後端側が前記背支持体５の基端部に支持されている。
【００１９】
前記肘掛け１０は、前記座受３に取り付けられた肘支柱１０１と、前記肘支柱１０１の上端部に設けられた肘当て１０２とを具備してなる。左右の肘掛け１０は、左右対称形状をなしている。
【００２０】
前記背支持体５は、前記支持基部２の主軸２２に後傾動作可能に支持された背支桿５１と、この背支桿５１の上端部に取り付けられた弾性横桿５２とを具備してなる。前記背支桿５１は、基端部を前記支持基部２の主軸２２に取り付けた下部背フレーム５１ｂと、この下部背フレーム５１ｂの先端に結合した上部背フレーム５１ａとを備えている。前記下部背フレーム５１ｂは、金属製のもので、その外側がカバー５３により覆われている。そのカバー５３の外面は、前記上部背フレーム５１ａの外面に連続するように位置づけられている。前記上部背フレーム５１ａは、合成樹脂により一体成形されたもので、その上方は二股に分岐されている。前記弾性横桿５２は、中間部二箇所を前記背支桿５１の上端部に支持させた板ばね状のもので、その両端部で前記背凭れ６を支えている。
【００２１】
前記背凭れ６は、背板６１を主体に構成されたものであり、この背板６１の前面に着脱可能に添え設けられた前当部材６３と、これら背板６１または前当部材６３の前面に脱着可能に設けられた外装材６２とを備えてなる。前記背板６１は、背板本体６１ａとこの背板本体６１ａの左右両側部に設けた側端取付部６１ｃと、前記背板本体６１ａの下端部に設けた下端取付部６１ｂとを具備してなるもので、前記側端取付部６１ｃを前記弾性横桿５２の両端部に接続するとともに、前記下端取付部６１ｂを前記背支桿５１の下部背フレーム５１ｂに取り付けている。
【００２２】
前記背板本体６１ａは、合成樹脂により作られたもので、孔６１ｄを有しない周縁枠部６１ａ１と、この周縁枠部６１ａ１に囲まれた中間面部６１ａ２とを具備してなる。前記中間面部６１ａ２は、複数の孔６１ｄを設けた樹脂メッシュ領域Ｍと、孔６１ｄを有しない樹脂シェル領域Ｓとを備えたもので、その樹脂メッシュ領域Ｍと樹脂シェル領域Ｓとを交互に配置している。具体的には、前記中間面部６１ａ２の樹脂シェル領域Ｓは、水平なベルト状のもので前記周縁枠部６１ａ１の対向部位を連結するように配されている。ベルト状をなす前記樹脂シェル領域Ｓは、上下方向に間隔を開けて複数本平行に配されており、これら樹脂シェル領域Ｓ間及び樹脂シェル領域Ｓと周縁枠部６１ａ１との間に前記樹脂メッシュ領域Ｍがそれぞれ形成されている。前記樹脂メッシュ領域Ｍは、前記樹脂シェル領域Ｓよりも薄肉に形成されており、貫設された複数の円形の孔６１ｄを有している。すなわち、前記樹脂シェル領域Ｓの前面と前記樹脂メッシュ領域Ｍの前面とは面一に形成されている一方、前記樹脂メッシュ領域Ｍの背面は、前記樹脂シェル領域Ｓの背面よりも凹んで設けられている。
【００２３】
以下、図５ないし図８を参照して説明する。ここで図５は、図２における背板本体６１ａの前面に設けられた外装材６２及び前当部材６３を取り外した状態の椅子１００の斜視図である。また、図６は、図４におけるＡ‐Ａ線に沿う拡大断面図、具体的にはヘッドレスト８から背板本体６１ａにかけてヘッドレスト８の後脚部８１ｃの幅方向中心を通過するように垂直に切断した断面図を表す。図７は、ヘッドレスト８及び前当部材６３を装着しない場合に外装材６２が取り付けられる様子を表した断面図、及び図８は、背板６１に取り付けられるヘッドレスト８、前当部材６３及び外装材６２の分解斜視図を表す。
【００２４】
前記前当部材６３は、前記背板６１と同じ合成樹脂により一体に形成されており、背板６１を介してヘッドレスト８の後脚部８１ｃ１と接続される部材本体６３ａと、この部材本体６３ａの上方に連続して設けられ前記外装材６２の上端を掛けるための掛け止め縁部６３ｂと、前記部材本体６３ａと掛け止め縁部６３ｂとの境界付近の左右両側縁に設けられた一対の浮き上がり防止爪６３ｃとを具備してなる。前記前当部材６３の前面は面一である一方、その背面は前記部材本体６３ａが掛け止め縁部６３ｂに比べて突出しており、この突出した部分は前記背板６１の前面に沿った形状を有しているため、前記部材本体６３ａは、前記背板６１の前面に脱着可能に添えて設けられる。また、前記部材本体６３ａには左右１ヶ所ずつ、後述するヘッドレスト８の２本の後脚部８１ｃに対応する部分に前後に貫通するねじ孔６３ａ１が設けられている。前記掛け止め縁部６３ｂは、隙間を介して背板６１の上縁部に対面し、その上縁部及び左右側縁上部が前記背板６１の上端部及び左右側縁と同様の形状をなしている。
【００２５】
前記外装材６２は、クッション及び張地等により一体に作られており、背板６１前面を覆う外装材本体６２ａと、この外装材本体６２ａの上方に設けられ、前記背板６１の周縁枠部６１ａ１上端縁または前記前当部材６３の掛け止め縁部６３ｂに掛けられる上縁取付部６２ｂと、前記外装材本体６２ａの下方に設けられ、前記背板６１の周縁枠部６１ａ１下端縁に掛けられる左右のコーナ取付部６２ｃとを具備してなる。
【００２６】
前記ヘッドレスト８は、前記背板６１に着脱可能に取付部分を設けられたベース部８１と、このベース部８１に支持され使用者の頭部を支えるヘッドレスト本体８２とを具備してなる。
【００２７】
前記ベース部８１は、合成樹脂により一体に形成されており、前記ヘッドレスト本体８２に取り付けられるベース本体８１ａと、このベース本体８１ａから下方に延びる４本の前脚部８１ｂと、この前脚部８１ｂと平行に前記ベース本体８１ａから下方に延びる２本の後脚部８１ｃとを具備してなる。２本の後脚部８１ｃは左右対称に設けられ、それぞれその下部に、前記背板６１に設けられた段部６１ａ３に係わり合わせるための係わり合い部８１ｃ１を有している。４本の前脚部８１ｂは、背板６１の前面に対する前脚部８１ｂの当接部分についてそれぞれの前脚部８１ｂが分断されて設けられている。前記後脚部８１ｃの背面は面一に形成されている一方、その前面は、前記係わり合い部８１ｃ１として後脚部８１ｃの上部よりも肉厚なものとしており、ヘッドレスト８にかかる荷重を支えている。さらに、それらの係わり合い部８１ｃ１における前記前当部材６３に設けられたねじ孔６３ａ１に対応した場所に、凹部８２ｂ１が設けられ、この凹部８２ｂ１に金属製のインサートナットＮが成型されている。
【００２８】
前記ヘッドレスト本体８２は、前記ベース部８１と一体に形成され前記ベース本体８１ａの上方から連続する合成樹脂製のバックプレート８２ａと、このバックプレート８２ａの前面及び背面を覆うクッション及び張地から成る外装材本体８２ｂとを具備する。当該外装材本体８２ｂは、椅子１００の座４や背凭れ６に用いられる外装材６２と同様の材質や色彩とすることが好ましい。
【００２９】
本実施例では、前記背板６１にヘッドレスト８のベース部８１を着脱可能に係わり合わせることによりヘッドレスト８を取り付けるようにしている。具体的には、前記背板６１に設けられた段部６１ａ３にヘッドレスト８の後脚部８１ｃを弾性変形を利用して着脱可能に係わり合わせ、さらに前記前当部材８と後脚部８１ｃの係わり合い部８１ｃ１とを用いて前記背板６１を前後に挟み、前記前当部材８の前方から後脚部８１ｃまで貫通させたねじＢにより緊締結合させている。
【００３０】
次に、前記ヘッドレスト８の背板６１への取り付け及び取り外しの際の操作及び各部の作用を示す。
【００３１】
すなわち本実施例に係るヘッドレスト８の取り付けは、ヘッドレスト８が取り付けられる背板６１が、周縁枠部６１ａ１とその周縁枠部６１ａ１に囲まれる中間面部６１ａ２との境界に段部６１ａ３を有し、その中間面部６１ａ２に複数の孔６１ｄを有する樹脂メッシュ領域Ｍと孔６１ｄを有しない樹脂シェル領域Ｓとを備え、前記背板６１の背面における中間面部６１ａ２の樹脂メッシュ領域Ｍと樹脂シェル領域Ｓとの境界にも段部６１ａ３が形成されているものを用いて、まず、背板６１の上縁部に向かってヘッドレスト８の前脚部８１ｂと後脚部８１ｃとが前記背板６１を挟み込むように上方から装着する。
【００３２】
次に、前記背板６１の段部６１ａ３に、前記ベース部８１を構成している部材や背板６１を構成している部材の一時的な弾性変形を利用して係わり合い部８１ｃ１を係わり合わせる。その際、前記係わり合い部８１ｃ１はその上端部が周縁枠部６１ａ１と中間面部６１ａ２の樹脂メッシュ領域Ｍとの境界に係わり合い、その下端部が樹脂メッシュ領域Ｍと樹脂シェル領域Ｓとの境界に係わり合うことで、上下方向に一定以上の力が加わらない限りヘッドレスト８を抜け止めし得る構成としている。
【００３３】
さらに、前記ヘッドレスト８を装着した背板６１の前面に前当部材６３、具体的には前当部材６３の部材本体６３ａが背板６１に接するように添えられることで、背板６１を挟んでヘッドレスト８及び前当部材６３が配置されることになる。その後、その前当部材６３に設けられた２ヶ所のねじ孔８２１に前当部材６３の前面からねじＢを差し込み、樹脂メッシュ領域Ｍに設けられた孔６１ｄを通って後脚部８１ｃに設けられたインサートナットＮまで貫通させねじ止めする。これにより、前当部材６３、背板６１及びヘッドレスト８が緊締結合される。また、前当部材６３の側縁から背面に向かって延びて設けられた浮き上がり防止爪６３ｃを、背板６１の背面に係わり合うように設けることによって、着座者の背の荷重により背板６１が変形した場合においても前当部材６３が背板６１から浮き上がることを防止するため、外装材６２が前当部材６３の掛け止め縁部６３ｂから外れにくい構造とすることができる。
【００３４】
一方、前記ヘッドレスト８を背板６１から取り外す際には、ねじ止めを解除するとともに、前当部材６３を取り外し、前記ヘッドレスト８の係わり合い部８１ｃ１を前記背板６１から離間させるように後脚部８１ｃに力を加え、係わり合い部８１ｃ１と段部６１ａ３との係わり合いを解除させる。そして、その状態でヘッドレスト８を上方に移動させることにより取り外し操作を行う。
【００３５】
以上のような構成とすることにより、本実施形態に係る椅子１００は、背板６１の上縁部にヘッドレスト８を装着し得るように構成した椅子１００であって、前記ヘッドレスト８が、着座者の後頭部を支持するためのヘッドレスト本体８２と、このヘッドレスト本体８２を前記背板６１に装着するためのベース部８１とを備えたものであり、前記ベース部８１が、前記背板６１の上縁部に跨がる形態をなし、前記背板６１の背面に形成されている段部６１ａ３に係わり合って抜け止めされることを特徴とする椅子１００であるので、背板６１の上縁部に跨る構造により背板６１の上縁部にヘッドレスト８を容易に取り付けることができ、またヘッドレスト８が使用者から受ける力に対して抵抗しやすくなる。さらに、背板６１の有する段部６１ａ３を有効に利用することができ、ヘッドレスト８を取り付けるために椅子１００に積極的に取付部分を設ける必要がない。
【００３６】
さらに、前記ベース部８１が、前記背板６１の上縁に当接するベース本体８１ａと、このベース本体８１ａから下方に延設され前記背板６１の前面に当接する前脚部８１ｂと、前記ベース本体８１ａから下方に延設され前記背板６１の背面に当接する後脚部８１ｃとを備えたものであるので、前脚部８１ｂと後脚部８１ｃとで作られる空間と背板６１の上縁部を組み合わせて椅子１００にヘッドレスト８を取り付けることができる。また、ヘッドレスト８の前脚部８１ｂが４本に分断されている、言い換えれば、背板６１の前面に対する前脚部８１ｂの当接部分についてそれぞれの脚が連続していないため、椅子１００が後傾した場合に背板６１の前面上部の弾性変形が阻害されるのを抑制できる。
【００３７】
また、このようなヘッドレスト８が取り付けられる前記背板６１が、背面に段部６１ａ３を有するものであり、前記ベース部８１の後脚部８１ｃに、前記背板６１の段部６１ａ３に部材の一時的な弾性変形を利用して係わり合う係わり合い部８１ｃ１を設けているものであるので、一時的な弾性変形を利用してヘッドレスト８を椅子１００に取り付けることができ、ヘッドレスト８を取り付けた際のがたつきを抑制できるとともに、ヘッドレスト８の取り付け及び取り外しに必要な操作力が大きくなりすぎないようにすることができる。
【００３８】
また、前記背板６１が、中間面部６１ａ２に樹脂メッシュ領域Ｍと樹脂シェル領域Ｓとを備えたものであり、前記背板６１の背面において、前記樹脂メッシュ領域Ｍと前記周縁枠部６１ａ１との境界に前記ヘッドレスト８を抜け止めするための段部６１ａ３が形成されているものであるので、当該段部６１ａ３を利用して前記ヘッドレスト８が上方に抜けることを防ぐことができる。
【００３９】
前記背板６１の樹脂メッシュ領域Ｍが、複数の孔６１ｄを有しているので、当該孔６１ｄをねじ孔として利用することができる。その利用方法としては、前記ヘッドレスト８を装着した背板６１の前面に前当部材６３を添接させ、その前当部材６３と前記ヘッドレスト８の後脚部８１ｃ１部とを前記孔６１ｄに貫通させたねじＢにより緊締結合するものである。そのため、背板６１にヘッドレスト取付用の凹部又は取付部を新たに設けることなく、もとからある孔６１ｄを取付孔として有効活用することができ、椅子用背板６１の加工工数及び部品点数の縮小を図りつつ、さらにヘッドレスト８を取り外したときにおいてもヘッドレスト取付部が気になることなく、見た目の印象が変わらないようにすることができる。また、ヘッドレスト８及び前当部材６３の固定が一度のねじ止め着け作業によって行うことができる上に、それらの緊締結合によって背板６１を中心として前面側からと背面側から挟持することとなるので、ヘッドレスト８及び前当部材６３の固定をより強固なものとすることができる。
また、前当部材６３が、前記背板６１の前面の上縁部形状と正面視同一であるため、前記背板６１の前面に配される外装材６２の上縁部を掛けるための掛け止め縁部６３ｂとして利用することができる。
【００４０】
なお、本発明は以上に述べたような実施形態に限らず種々変更可能である。
【００４１】
本実施形態では、ヘッドレスト８を抜け止めするための段部として、前記背板６１の背面における前記樹脂メッシュ領域Ｍと前記周縁枠部６１ａ１との境界に前記ヘッドレスト８を抜け止めするための段部６１ａ３が形成されているものを用いたが、他の段部等を利用することも可能である。たとえば、樹脂シェル領域Ｓと樹脂メッシュ領域Ｍとの境界に生じる段部を利用して係わり合わせることや、複数の樹脂メッシュ領域Ｍに挟まれた樹脂シェル領域Ｓを挟み持つようにして係わり合わせることも可能である。さらに、ヘッドレスト８の後脚部８１ｃを図１に示すよりも長いものを用いて、樹脂メッシュ領域Ｍと周縁枠部６１ａ１との境界及び１つ又は複数の樹脂シェル領域Ｓと樹脂メッシュ領域Ｍとの境界に生じる複数の段部にまたがって係わり合わせてもよい。
【００４２】
また、ヘッドレスト８の後脚部８１ｃに、樹脂メッシュ領域Ｍに設けられた孔６１ｄに対応する突部を設けて、その突部と複数の孔６１ｄによって係わり合わせることもできる。
【００４３】
さらに、ねじ止めの方法についても、前当部材６３の前面からねじＢを挿入する方法以外に、後脚部８１ｃの背面から前当部材６３に向かってねじＢを挿入するもの等種々考えられる。
【００４４】
また、ヘッドレストは、ヘッドレスト本体とベース部とが別部材で作られるものに限られず、一体に成形されるものであってもよい。
【００４５】
以上、本実施形態について詳述したが、本発明は上記実施形態に限定されるものではなく、その他各部の具体的構成は、本発明の趣旨を逸脱しない範囲で種々変形が可能である。
【図面の簡単な説明】
【００４６】
【図１】本発明の実施形態に係る椅子を示す後方斜視図。
【図２】同実施形態の前方斜視図。
【図３】同実施形態の側面図。
【図４】同実施形態の背面図。
【図５】本発明の実施形態における外装材及び前当部材を外した状態を示す分解斜視図。
【図６】同実施形態に係る椅子を示すＡ‐Ａ線断面図。
【図７】同実施形態における背板の直接外装材を取り付けた椅子を示す図６対応図。
【図８】本発明の実施形態における外装材、前当部材及びヘッドレストを外した状態を示す分解斜視図。
【符号の説明】
【００４７】
１００…椅子
６１…背板
６１ａ１…周縁枠部
６１ａ２…中間面部
６１ａ３…段部
６１ｄ…孔
６３…前当部材
６３ｂ…掛け止め縁部
Ｍ…樹脂メッシュ領域
８…ヘッドレスト
８１…ベース部
８１ａ…ベース本体
８１ｂ…前脚部
８１ｃ…後脚部
８１ｃ１…係わり合い部
８２…ヘッドレスト本体
Ｂ…ねじ
【図１】
2010063823.tif 000003
【図２】
2010063823.tif 000004
【図３】
2010063823.tif 000005
【図４】
2010063823.tif 000006
【図５】
2010063823.tif 000007
【図６】
2010063823.tif 000008
【図７】
2010063823.tif 000009
【図８】
2010063823.tif 000010